(57)【特許請求の範囲】
【請求項１】
超音波プローブによって、検出装置（１００）を通じて検査対象部位を走査して、空間位置決め情報を有する一連の２次元超音波画像を取得するステップＳ１と、
前記空間位置決め情報を有する一連の２次元超音波画像で画像を再構成することで、３次元画像及び所望の断面の２次元画像を取得するステップＳ２と、
を含み、
前記検出装置（１００）は検出窓（１０１）であり、前記検出窓（１０１）は、超音波プローブを前記検査対象部位に直接接触させて前記検査対象部位を検出可能とする大きさであり、
前記３次元画像及び所望の断面の２次元画像が骨格の断続的な部分画像である場合、前記方法は、更に、
前記３次元画像及び所望の断面の２次元画像から、未検出の骨格部分の情報を推測することで全体の骨格情報を形成するステップＳ６、を含むことを特徴とする矯正装具を取り外すことなく骨格の３次元画像を取得する方法。
【請求項２】
前記ステップＳ１は、更に、
超音波プローブを用い、装具で覆われていない検査対象部位を走査して、空間位置決め情報を有する一連の２次元超音波画像を取得するステップＳ１−１を含むことを特徴とする請求項１に記載の矯正装具を取り外すことなく骨格の３次元画像を取得する方法。
【請求項３】
前記方法は、ステップＳ１の前に、更に、
検査対象が矯正装具を装着していないときに前記検査対象を走査して、矯正前の骨格全体の情報を取得するステップＳ０を含むことを特徴とする請求項１に記載の矯正装具を取り外すことなく骨格の３次元画像を取得する方法。
【請求項４】
前記ステップＳ１は、更に、
複数の前記超音波プローブを用い、複数の前記検出装置（１００）を通じて絶えず走査を繰り返し、即時にイメージングすることで、前記３次元画像及び所望の断面の２次元画像を取得して表示するステップＳ１−２を含むことを特徴とする請求項１に記載の矯正装具を取り外すことなく骨格の３次元画像を取得する方法。
【請求項５】
前記超音波プローブは３次元超音波イメージングプローブであることを特徴とする請求項１に記載の矯正装具を取り外すことなく骨格の３次元画像を取得する方法。
【請求項６】
前記矯正装具は、前記矯正装具上に位置して前記検出装置（１００）を補強するための補強装置（１１０）を含むことを特徴とする請求項１に記載の矯正装具を取り外すことなく骨格の３次元画像を取得する方法。
【請求項７】
前記補強装置（１１０）は、
前記検出装置（１００）の辺縁に設けられて前記検出装置（１００）を補強するための補強辺（１１２）又は補強枠（１１１）と、
前記補強辺（１１２）又は補強枠（１１１）に可動に接続されて前記検出装置（１００）を開閉するための補強プレート（１１３）、を含むことを特徴とする請求項６に記載の矯正装具を取り外すことなく骨格の３次元画像を取得する方法。
【請求項８】
前記検出装置（１００）は、
前記矯正装具上又は前記矯正装具外に位置し、超音波プローブを前記矯正装具の内部まで延伸させて検査対象部位を検出可能とするよう開口した検出窓（１０１）、又は
矯正装具上に超音波透過材料を用いて作製される領域である検出領域（１０２）、を含むことを特徴とする請求項１に記載の矯正装具を取り外すことなく骨格の３次元画像を取得する方法。
【請求項９】
前記検出装置（１００）を前記矯正装具上に設置する場合には、前記矯正装具の強度要求、並びに、検出を要する検査対象部位の情報を前記３次元画像及び所望の断面の２次元画像でできる限りカバーし得ることを根拠とすることを特徴とする請求項１に記載の矯正装具を取り外すことなく骨格の３次元画像を取得する方法。
【請求項１０】
前記空間位置決め情報は、前記矯正装具上の前記超音波プローブの相対位置及び角度に基づき取得されることを特徴とする請求項１に記載の矯正装具を取り外すことなく骨格の３次元画像を取得する方法。
【請求項１１】
前記空間位置決め情報は、矯正装具に装着される３次元空間位置決め装置により取得され、前記３次元空間位置決め装置は、矯正装具に装着される３次元空間位置決め装置の発信器及び／又は受信器を含むことを特徴とする請求項１に記載の矯正装具を取り外すことなく骨格の３次元画像を取得する方法。
【発明の詳細な説明】
【技術分野】
【０００１】
本発明は医療機器の分野に関し、特に、矯正装具を取り外すことなく骨格の３次元画像を取得する方法に関する。
【背景技術】
【０００２】
医療分野では、骨格を矯正又は固定せねばならないことが多い。例えば、脊柱の側弯が一定レベルを超える患者の場合には、矯正装具によって側弯の状況を改善したり、側弯治療効果を安定させたりする必要がある。また、骨折した場合には対応部位の骨格を固定せねばならない。しかし、通常は、矯正又は固定する際に、矯正又は固定が正確か否かを人体の外側から肉眼で判断することは容易でない。特に、関心部位は矯正装具で覆われていることが多いため、装具を取り外さずに肉眼のみで矯正又は固定の結果を判断することは尚更難しい。
【０００３】
現在、医療分野で使用されている方法では、矯正装具内における調整を要する骨格の状態をＸ線写真で把握する。しかし、Ｘ線イメージングには被ばくの危険性がある。且つ、Ｘ線イメージングでは一方向の投影画像しか提供できず、骨格の３次元情報を提供することは不可能である。例えば、脊柱側弯の矯正で一方向の角度が矯正装具により軽減されたとしても、脊柱のその他の方向の変形又は回旋が増したか否かは保証できない。そのため、複数方向においてＸ線イメージングを行わねばならないことが多く、被ばく量が増加することから、人体の潜在的な損傷が増加する。
【発明の概要】
【発明が解決しようとする課題】
【０００４】
そこで、如何にして矯正装具を取り外すことなく骨格の３次元情報を取得可能とし、矯正結果を正確に観察及び評価することで、矯正装具を相応に調整しやすくし、矯正効果を
更に強化又は安定化するかが、現在のところ業界において早急に解決を要する技術的課題となっている。
【課題を解決するための手段】
【０００５】
本発明の目的は、上記の技術的課題に対し、矯正装具を装着した状況であっても、被ばくを一切生じさせることなく骨格系の３次元画像を取得可能とすることで、矯正結果の評価を補助可能とし、矯正装具を調整することで最適な調整又は固定効果が達せられる矯正装具を取り外すことなく骨格の３次元画像を取得する方法を提供することである。
【０００６】
本発明は、上記の技術的課題を解決するための技術方案として、矯正装具を取り外すことなく骨格の３次元画像を取得する方法を提供する。当該方法は、超音波プローブを用い、検出装置を通じて検査対象部位を走査して、空間位置決め情報を有する一連の２次元超音波画像を取得するステップＳ１と、上記の空間位置決め情報を有する一連の２次元超音波画像で画像を再構成することで、３次元画像及び所望の断面の２次元画像を取得するステップＳ２と、前記３次元画像及び所望の断面の２次元画像に表示される検査対象部位の情報に基づき、前記矯正装具によって付与される矯正結果が正しいか否かを判断するステップＳ３と、前記矯正結果に基づいて前記矯正装具を調整するステップＳ４、を含むことを特徴とする。
【０００７】
好ましくは、前記矯正装具が所望の矯正結果に達していない場合、前記方法は、更に、超音波プローブを用い、装具で覆われていない検査対象部位を走査して、空間位置決め情報を有する一連の２次元超音波画像を取得するステップＳ１−１を含む。
【０００８】
好ましくは、前記方法は、ステップＳ１の前に、更に、検査対象が矯正装具を装着していないときに前記検査対象を走査して、矯正前の骨格全体の情報を取得するステップＳ０を含む。或いは、ステップＳ４のあとに、更に、矯正装具が上記の所望の矯正結果に達するまで前記ステップＳ１から前記ステップＳ４までを繰り返すステップＳ５を含む。
【０００９】
好ましくは、前記ステップＳ１は、更に、複数の前記超音波プローブを用い、複数の前記検出装置（１００）を通じて絶えず走査を繰り返し、即時にイメージングすることで、前記３次元画像及び所望の断面の２次元画像を取得して表示するステップＳ１−２を含む。
【００１０】
好ましくは、前記超音波プローブは３次元超音波イメージングプローブである。
【００１１】
好ましくは、前記ステップＳ４で述べた調整は、前記した即時にイメージングする過程で連続して行われる。
【００１２】
好ましくは、前記検出装置は検出窓であり、前記検出窓は、超音波プローブを矯正装具の内部まで延伸させて前記検査対象部位を検出可能とする大きさである。
【００１３】
好ましくは、前記矯正装具は、前記矯正装具上に位置して前記検出装置を補強するための補強装置を含む。
【００１４】
好ましくは、前記補強装置は、前記検出装置の辺縁に設けられて前記検出装置を補強するための補強辺又は補強枠と、前記補強辺又は補強枠に可動に接続されて前記検出装置を開閉するための補強プレート、を含む。
【００１５】
好ましくは、前記検出装置は、前記矯正装具上又は前記矯正装具外に位置し、超音波プローブを前記矯正装具の内部まで延伸させて検査対象部位を検出可能とするよう開口した検出窓、又は、矯正装具上に超音波透過材料を用いて作製される領域である検出領域、を
含む。
【００１６】
好ましくは、前記３次元画像及び所望の断面の２次元画像が骨格の断続的な部分画像である場合、前記方法は、更に、前記３次元画像及び所望の断面の２次元画像から、未検出の骨格部分の情報を推測することで全体の骨格情報を形成するステップＳ６、を含む。
【００１７】
好ましくは、前記検出装置を前記矯正装具上に設置する場合には、前記矯正装具の強度要求、並びに、検出を要する検査対象部位の情報を前記３次元画像及び所望の断面の２次元画像でできる限りカバーし得ることを根拠とする。
【００１８】
好ましくは、前記空間位置決め情報は、前記矯正装具上の前記超音波プローブの相対位置及び角度に基づき取得される。
【００１９】
好ましくは、前記空間位置決め情報は、矯正装具に装着される３次元空間位置決め装置により取得され、前記３次元空間位置決め装置は、矯正装具に装着される３次元空間位置決め装置の発信器及び／又は受信器を含む。
【発明の効果】
【００２０】
本発明で提供する矯正装具を取り外すことなく骨格の３次元画像を取得する方法を用いれば、検査対象が矯正装具を装着している場合であっても、被ばくを一切生じさせることなく骨格系の３次元画像及び所望の断面の２次元画像情報を取得可能である。これにより、矯正結果の評価を補助可能となり、操作者が矯正装具を即時に調整することで、最適な調整又は固定効果が達せられる。
【００２１】
以下に、図面と実施例を組み合わせて、本発明につき更に説明する。
【図面の簡単な説明】
【００２２】
【図１】図１は、本発明における矯正装具を取り外すことなく骨格の３次元画像を取得する方法のフローチャートである。
【図２】図２は、本発明の好ましい実施例における矯正装具の構造を示す図である。
【図３】図３は、本発明の実施例１における検出装置の構造を示す図である。
【図４】図４は、本発明の実施例２における検出装置の構造を示す図である。
【図５】図５は、本発明の好ましい実施例で取得した３次元画像を示す図である。
【図６】図６は、本発明の実施例３における検出装置の構造を示す図である。
【発明を実施するための形態】
【００２３】
当業者がより明確に本発明を理解可能となるよう、以下に、図面と具体的実施例を組み合わせて本発明につき更に詳細に記載する。
【００２４】
図１に示すように、本発明は矯正装具を取り外すことなく骨格の３次元画像を取得する方法について開示する。図２に示すように、当該方法の矯正装具は、従来の矯正装具２００における全ての装置と機能を含むとともに、検出装置１００を含む。本発明で提供する矯正装具を取り外すことなく骨格の３次元画像を取得する方法は、以下のステップを含む。
【００２５】
超音波プローブを用い、検出装置１００を通じて検査対象部位を走査して、空間位置決め情報を有する一連の２次元超音波画像を取得する（ステップＳ１）。前記超音波プローブは、３次元超音波又は３次元超音波イメージングシステムの超音波プローブである。また、前記検出装置１００は１又は複数とすればよい。ステップＳ１において、１回の走査で取得した２次元超音波画像では検査対象部位全体を表示するのに不十分な場合には、取得した２次元超音波画像によって検査対象部位全体を表示可能となるまでステップＳ１を繰り返し、走査を完了すればよい。前記空間位置決め情報は、空間位置情報と角度情報を
含む。空間位置決め情報の取得については、超音波プローブに空間位置決めセンサを装着し、各２次元超音波画像に対応する超音波プローブの空間位置情報と角度情報を取得することで、各２次元超音波画像の空間位置決め情報を取得すればよい。好ましくは、前記超音波プローブは小型の機械式走査装置を備え、検出装置１００を通じて全方向の走査を自動的に完了する。なお、理解可能なように、ステップＳ１では、更に、超音波プローブが走査しやすいよう、検出装置１００内又は検出装置１００上に十分な超音波カップリング剤又はカップリング材を添加する（ステップＳ１−３）。また、前記ステップＳ１は、更に、超音波プローブを用い、装具で覆われていない検査対象部位を走査して、空間位置決め情報を有する一連の２次元超音波画像を取得するステップＳ１−１を含む。
【００２６】
前記空間位置決め情報は、前記矯正装具上の前記超音波プローブの相対位置及び角度に基づき取得する。矯正装具の形状は設計後にほぼ固定され、矯正装具上の各検出装置１００の相対位置も固定される。そのため、検出装置１００における超音波プローブの回動状況を取得するだけで、３次元空間位置決め装置を別途必要とすることなく、各２次元超音波画像の空間位置及び角度を取得可能である。このほか、前記空間位置決め情報は、矯正装具に装着される３次元空間位置決め装置で取得してもよい。前記３次元空間位置決め装置は、矯正装具に装着される３次元空間位置決め装置の発信器及び／又は受信器を含む。
【００２７】
上記の空間位置決め情報を有する一連の２次元超音波画像で画像を再構成することで、３次元画像及び所望の断面の２次元画像を取得する（ステップＳ２）。
【００２８】
前記３次元画像及び所望の断面の２次元画像に表示される検査対象部位の情報に基づき、前記矯正装具によって付与される矯正結果が正しいか否かを判断する（ステップＳ３）。前記矯正結果とは、矯正装具を調整した際に、矯正装具が人体の骨格に作用することで骨格に付与される矯正作用又は安定化作用である。前記矯正結果は、矯正装具を即時に調整することですぐさま調整され得る。
【００２９】
前記矯正結果に基づいて、前記矯正装具を調整する（ステップＳ４）。矯正装具の調整は、全体的な矯正としてもよいし、部分的な調整としてもよい。部分的な調整の場合には、形状調整としてもよいし、調整パッドを追加して調整してもよい。
【００３０】
ステップＳ１からステップＳ４までを順に完了しても最適な矯正結果に達しない場合には、矯正装具が所望の矯正結果に達するまで上記のステップＳ１からステップＳ４までを繰り返す（ステップＳ５）。
【００３１】
なお、理解し得るように、ステップＳ２からステップＳ４までを実行する調整過程では、複数の超音波プローブが複数の検出装置１００を通じて絶えず走査を繰り返し、即時にイメージングすることで、３次元画像又は所望の断面の２次元画像、例えば関連の２次元骨格図を取得して表示することが可能である。これにより、調整者は矯正状況のフィードバックを速やかに得られるため、持続的且つより効果的な調整が可能となる（ステップＳ１−２）。なお、ここで言う繰り返し走査は、機械走査機能を有する超音波プローブによって自動的に完了可能である。好ましくは、機械走査機能を有する複数の超音波プローブを用い、異なる検出装置１００を通じて走査を行うことで、大範囲の矯正状況を即時に取得可能とする。矯正装具内部の骨格の変化はその他の部位の骨格を変化させ得る。そのため、より良好に矯正状況を取得すべく、走査範囲は矯正装具内の人体の部位に限ることなく、矯正装具外の部位も上記の方法でイメージングすることで、骨格全体又は骨格構造を取得し、調整者に参照させてもよい。
【００３２】
好ましくは、超音波プローブは３次元超音波イメージングプローブとし、機械走査式１次元超音波トランスデューサアレイ又は電子走査式２次元超音波トランスデューサアレイ
によって位置決め基準を提供可能とする。更に、超音波プローブは、矯正装具内に入りやすいよう扁平状としてもよい。
【００３３】
上記の方法をより容易且つ迅速に従来の矯正装具に応用可能とするために、検出装置１００は、検出窓１０１（図３参照）又は検出領域１０２（図４参照）とすればよい。これらの違いとして、検出窓１０１は、超音波プローブを矯正装具の内部まで延伸させて検査対象部位を検出可能とするような大きさの開口である。検出窓１０１は、第１検出窓１０１ａのように矯正装具上に位置させてもよいし、第２検出窓１０１ｂのように矯正装具外に位置させてもよい。第１検出窓１０１ａと第２検出窓１０１ｂはいずれも検出窓１０１である。一方、検出領域１０２は、矯正装具上に超音波透過材料を用いて作製される領域である。
【００３４】
図３に示すように、従来の矯正装具や、本発明の方法に基づいて設計されたものではない矯正装具の場合、一般的に検出領域は設計されないが、通常は一定数の開口１０３、空隙１０４又は透かしを有している。そのため、これら従来の矯正装具上又は矯正装具外の開口１０３をそのまま検出窓１０１とすることで、上記の矯正装具であっても本発明の方法で検出可能となる。これに対し、本発明の方法に基づき特別に設計される矯正装具では、矯正装具の設計段階で検出窓１０１を直接設計可能である。なお、検出装置１００は検出窓１０１又は検出領域１０２として設計されるが、ここでは特に限定しない。
【００３５】
図５に示すように、３次元イメージング及び２次元イメージングは検出装置１００の大きさ及び方向により限定されるため、得られる３次元画像及び２次元画像は３次元空間全体を充足するとは限らない。即ち、得られる３次元画像及び２次元画像は、検査を要する骨格の断続的な部分画像となる。しかし、脊椎のような骨格は全体構造をなすため、部分的な画像から未検出の骨格部分の情報を推測し、全体の骨格情報の形成に用いることで（ステップＳ６）、全体の変形状況を推定すればよい。図中の第１領域Ａ、第２領域Ｂ及び第３領域Ｃは、超音波プローブの走査によりイメージングされたものであり、未検出の骨格部分Ｄは推測により取得したものである。推測はコンピュータアルゴリズムを用いて行ってもよいし、画像処理システムに人体の基準骨格構造を記憶しておき、イメージングにより得た領域と基準骨格構造をフィッティングすることで、未検出部分の骨格形態をシミュレートしてもよい。
【００３６】
できるだけ少ない検出装置１００で骨格の矯正状況を取得するために、本方法では、更に、矯正装具を装着していないときに検査対象を走査することで、例えば脊椎の３次元画像や異なる断面といった調整前の骨格の全体状況を取得する（ステップＳ０）。次に、装具を装着してから、ステップＳ１からステップＳ４によって調整後の部分的な骨格の変化状況を取得する。これらの部分情報を利用すれば、矯正装具を装着していないときに取得した３次元画像、２次元断面、又は検出した３次元骨格を調整可能なため、限られた部分情報からより容易に調整後の骨格全体の状態を取得できる。
【００３７】
図２に示すように、当該方法の矯正装具は、従来の矯正装具２００における全ての装置と機能を含むとともに、検出装置１００を含む。超音波プローブは、検出装置１００を通じて人体を走査し、骨格の３次元画像を取得する。以下は、当該方法に関する検出装置１００の実施例である。
【実施例１】
【００３８】
図３に示すように、検出装置１００は１又は複数の検出窓１０１である。前記検出窓１０１は、超音波プローブを矯正装具の内部まで延伸させて検査対象部位を走査可能とするような大きさである。好ましくは、超音波プローブは矯正装具の内部で３６５度回動可能である。前記検出窓１０１は、矯正装具上に位置する矯正装具上の開口１０３又は空隙１
０４であってもよいし、矯正装具外に位置してもよい。検出窓は、超音波プローブを矯正装具の内部に進入させて検出可能とできればよく、ここでは特に限定しない。
【００３９】
１つの検出窓１０１では全ての検査対象部位をカバーできない場合には、矯正装具の異なる位置に方向及び大きさの異なる複数の検出窓１０１を設ければよい。上記検出窓１０１の設置は、矯正装具の機能、強度、快適性に支障をきたさないことが前提となる。そのため、検出窓１０１の位置、大きさ及び方向の選択については、矯正装具の設計初期に考慮し、綿密に計算及び選択する必要がある。これにより、超音波プローブで走査可能としつつ、矯正装具の機能に支障をきたさないようにする。検出窓１０１を矯正装具上に設置する場合には、前記矯正装具の強度要求、並びに、検出を要する検査対象部位の情報を前記３次元画像及び所望の断面の２次元画像でできる限りカバーし得ることを根拠とする。そのため、前記矯正装具の製造過程では、コンピュータシミュレーションによる演算で、矯正装具の形状、矯正装具の材料の力学特性、及び矯正装具を人体の対応部位に装着したときに受ける力及び力の方向から、前記検出窓１０１の配置位置や検出窓１０１の大きさ及び方向等を演算し、設計してもよい。且つ、シミュレーション演算により、検出窓１０１を通じて走査可能な人体の検査対象部位を予測してもよい。即ち、前記矯正装具の製造方法は少なくとも、１．矯正対象部位のモデルを第１モデルとして抽出するステップと、２．仮矯正装具を用いて検査対象部位を矯正し、矯正結果が最適となった場合に、このときの仮矯正装具のモデルを第２モデルとして抽出するステップと、３．プロセッサで第１モデルと第２モデルを分析し、検出装置１００の最適な位置及び方向を決定して、矯正対象部位に対する矯正装具モデルを構築するステップと、４．３Ｄプリントや射出成型等の方法で前記矯正装具を生産するステップ、を含む。なお、理解し得るように、仮矯正装具を調整して第２モデルを取得する際には、本発明を取り外すことなく骨格の３次元画像を取得する方法で矯正結果を検出し、最適な矯正結果を有する第２モデルを取得してもよい。また、調整過程では、矯正装具と人体の間にパッドを追加する方法で矯正装具と人体との位置関係を調整してもよい。
【００４０】
好ましくは、超音波プローブは、検出窓１０１に進入させて検査対象部位を走査しやすいよう、扁平なプローブとすればよい。より好ましくは、超音波プローブは小型の機械式走査装置を備え、窓に進入したあとに自動的に走査を完了可能である。本実施例では、超音波プローブが走査しやすいよう、検査対象部位に十分な超音波カップリング剤又はカップリング材を直接添加すればよい。
【実施例２】
【００４１】
図４に示すように、本発明の実施例２は、検出装置１００が検出領域１０２である点で実施例１とは異なる。前記検出領域１０２は超音波透過材料で作製される。よって、超音波プローブを実施例１の検出窓、即ち矯正装具の内部まで延伸させて検査対象部位を検出しなくても、超音波プローブを検出領域１０２上で移動させれば検査対象部位を検出可能である。好ましくは、超音波プローブが矯正装具のどの位置であっても超音波検出を行えるよう、矯正装具全体の材料と検出領域１０２の超音波透過材料を同一とする。本実施例では、超音波プローブが走査しやすいよう、検査対象領域１０２に十分な超音波カップリング剤又はカップリング材を直接添加すればよい。
【００４２】
本発明の実施例は順を追って記載しており、本実施例と実施例１との違いについてのみ述べた。本実施例２において述べなかった部分は実施例１と同様である。
【実施例３】
【００４３】
図６に示すように、本発明の実施例３の矯正装具は、検出装置１００を一時的又は恒久的に補強するための補強装置１１０を更に含む。本実施例において、補強装置１１０は、補強枠１１１又は補強辺１１２とする。また、本実施例において、前記補強装置１１０は金属材料で作製され、例えば、軽量のアルミニウム、チタン等の金属材料や、肌との接触
時にユーザにアレルギーが発生しにくいアレルギー防止鋼といった異なるタイプの金属材料から作製される。異なる検査対象部位に位置する検出装置１００は、異なる材料で作製すればよい。好ましくは、補強装置１１０は更に補強プレートを含む。前記補強プレートは、補強枠１１１又は補強辺１１２に可動に接続されて、検出装置１００を使用したいときに検出装置１００を開放するために用いられるか、矯正装具の調整が完了したあとに、検出装置１００を一時的又は恒久的に封止するために用いられる。補強プレートは金属材料で作製してもよいし、例えばシリカ等の軟質材料で作製してもよい。なお、理解し得るように、本実施例の検出装置１００は検出窓としてもよいし、検出領域としてもよい。
【００４４】
理解し得るように、上記３つの実施例は１つの矯正装具において同時に実施可能である。即ち、同一の矯正装具に検出窓と検出領域、及び検出窓と検出領域を補強する補強装置が存在し得る。これらは実際の必要性に応じて設計及び配置すればよく、ここでは特に限定しない。
【００４５】
以上述べたように、本発明で開示する矯正装具を取り外すことなく骨格の３次元画像を取得する方法によれば、操作者は矯正装具の矯正状況を迅速且つ視覚的に取得可能であるとともに、被ばくを一切生じさせることなく骨格系の３次元画像を取得できる。これにより、矯正装具の矯正状況を即時に取得可能になるとともに、矯正装具を装着したままで即時に矯正装具を効果的に調整できるため、矯正装具が最適な調整又は固定効果を達成し得る。最も重要な点として、矯正状況の取得及び矯正装具の調整過程全体を通じて、患者は一切の被ばくを受けないため、患者の潜在的な損傷が回避される。
【００４６】
理解すべき点として、当業者であれば上記の説明に基づく改良又は変形が可能であり、これら全ての改良及び変形は、いずれも本発明の特許請求の範囲による保護の範囲に属する。
【図１】
0006983993.tif 000002
【図２】
0006983993.tif 000003
【図３】
0006983993.tif 000004
【図４】
0006983993.tif 000005
【図５】
0006983993.tif 000006
【図６】
0006983993.tif 000007